(57)【要約】【課題】蓋の着脱が容易で複数の身を積層でき、身同士の積層の嵌合の状態の安定を確実とし、分離の作業も容易とし、外観も良好な箱を提供する。【解決手段】かぶせ蓋２と同一の形状を有する複数の身３で構成される箱１１である。前記身３は外周下部に、底板３１より垂下したスカート部４１を形成すると共に、蓋２を嵌合する立ち上がり部３３を残して嵌着した筒体４を備える。前記筒体４の上端４２と蓋２の嵌合部２２の下端２３に隙間５が形成され、立ち上がり部３３の基部が露出した状態で蓋２が嵌合される。下段の前記身３の筒体４の上端４２と上段の前記身３のスカート部４１の下端４３に隙間５が形成され、下段の前記身３の立ち上がり部３３の基部が露出した状態で上段の前記身３のスカート部４１が下段の立ち上がり部３３に嵌合される【選択図】  図５
0003223027.tif 000002
【実用新案登録請求の範囲】
【請求項１】
かぶせ蓋と身で構成する箱であって、前記身の外周下部に、底板より垂下したスカート部を形成すると共に、蓋を嵌合する立ち上がり部を残して嵌着した筒体を備え、前記筒体の上端と蓋の嵌合部の下端に隙間が形成され、立ち上がり部の基部が露出した状態で蓋が嵌合されることを特徴とする箱。
【請求項２】
かぶせ蓋と同一の形状を有する複数の身で構成される箱であって、前記身の外周下部に、底板より垂下したスカート部を形成すると共に、蓋を嵌合する立ち上がり部を残して嵌着した筒体を備え、前記筒体の上端と蓋の嵌合部の下端に隙間が形成され、立ち上がり部の基部が露出した状態で蓋が嵌合されること、下段の前記身の筒体の上端と上段の前記身のスカート部の下端に隙間が形成され、下段の前記身の立ち上がり部の基部が露出した状態で上段の前記身のスカート部が下段の立ち上がり部に嵌合されることを特徴とする箱。
【請求項３】
身と筒体が一体に形成されていることを特徴とする請求項１又は２に記載の箱。
【請求項４】
複数の身の立ち上がり部の外周面が互いに異なる着色となっていることを特徴とする請求項２又は３に記載の箱。
【考案の詳細な説明】
【技術分野】
【０００１】
本考案は箱に関するものであり、詳しくは蓋の開閉が容易で複数の身を積層でき、外観も良好な箱に関するものである。
【背景技術】
【０００２】
蓋の開閉が容易であることが望まれるけれど、蓋が意に反して何かの拍子で外れてしまうことも問題である。
そのため、蓋と身、或いは重箱状に積層した身同士の嵌合状態を確実に保てるように工夫されている。
【０００３】
しかし、積層手段は上下位置に在る蓋や身同士を嵌合構造によって形成されている例が多く見られる。
そのため、互いの嵌合部分に隙間が空かないように正確性をもって製作されているのである。
【先行技術文献】
【特許文献】
【０００４】
【特許文献１】実開昭５８−１２５１３３号公報
【特許文献２】実開昭４９−６５６４２号公報
【考案の概要】
【考案が解決しようとする課題】
【０００５】
そこで、上記に鑑みて本考案は、蓋の着脱が容易で複数の身を積層でき、身同士の積層の嵌合の状態の安定を確実とし、分離の作業も容易とし、外観も良好な箱を提供せんとするものである。
【課題を解決するための手段】
【０００６】
本願考案の請求項１の考案の箱は、かぶせ蓋と身で構成する箱であって、前記身の外周下部に、底板より垂下したスカート部を形成すると共に、蓋を嵌合する立ち上がり部を残して嵌着した筒体を備え、前記筒体の上端と蓋の嵌合部の下端に隙間が形成され、立ち上がり部の基部が露出した状態で蓋が嵌合されることを特徴とする。
【０００７】
本願考案の請求項２の考案の箱は、かぶせ蓋と同一の形状を有する複数の身で構成される箱であって、前記身の外周下部に、底板より垂下したスカート部を形成すると共に、蓋を嵌合する立ち上がり部を残して嵌着した筒体を備え、前記筒体の上端と蓋の嵌合部の下端に隙間が形成され、立ち上がり部の基部が露出した状態で蓋が嵌合されること、下段の前記身の筒体の上端と上段の前記身のスカート部の下端に隙間が形成され、下段の前記身の立ち上がり部の基部が露出した状態で上段の前記身のスカート部が下段の立ち上がり部に嵌合されることを特徴とする。
【０００８】
本願考案の請求項３の考案の箱は、請求項１又は２の考案において、身と筒体が一体に形成されていることを特徴とする。
【０００９】
本願考案の請求項４の考案の箱は、請求項２又は３の考案において、複数の身の立ち上がり部の外周面が互いに異なる着色となっていることを特徴とする。
【考案の効果】
【００１０】
蓋の着脱が容易で複数の身を積層でき、身同士の積層の嵌合の状態の安定を確実とし、分離の作業も容易とし、外観も良好な箱に成る。
筒体の上端と蓋の嵌合部の下端に隙間が形成され、立ち上がり部の基部が露出した状態で蓋が嵌合されるため、両部材の境目が明確に視認でき、当該境目が凹部となっている当該境目を利用して指を当て、蓋の取り外し作業が容易と成る効果を発揮する。
【００１１】
また、下段の前記身の筒体の上端と上段の前記身のスカート部の下端に隙間が形成され、下段の前記身の立ち上がり部の基部が露出した状態で上段の前記身のスカート部が下段の立ち上がり部に嵌合されるため、上記蓋と身の関係と同様に上段と下段の身の分離を容易にできる効果を得られる。
さらに、身と蓋及び上下段の位置に在る身同士の嵌合状態を強めに設定して積層の安定を図っても、蓋や身同士の取り外し・分離の手作業が容易で支障とならない効果も有する。
【００１２】
複数の身の立ち上がり部の外周面を互いに異なる着色とすることによって、身の積層が容易に看取され、積層された身の段数や関係が明瞭となり、目的の身を容易に確認かつ蓋や上段の身から分離して開示することができる効果を有し、装飾作用を奏して意匠的効果も発揮する。
【００１３】
蓋や身の形状が複雑でないため、厚手の紙材に限らず、樹脂により一体的に身や蓋を成形することも容易であり、材質に制約なく製作できる利点がある。
【図面の簡単な説明】
【００１４】
【図１】本考案の一実施の形態を示す正面図である。
【図２】図１の縦断した正面図である。
【図３】蓋の一部を切欠いた斜視図である。
【図４】身の一部を切欠いた斜視図である。
【図５】他の使用状態を示す一部を切欠いた正面図である。
【考案を実施するための形態】
【００１５】
本考案の実施の形態を図面に基づいて説明する。
図１は本考案の一実施の形態を示す正面図であり、図２は同断面図、図３は同蓋の一部を切欠いた斜視図、図４は身の一部を切欠いた斜視図である。
【００１６】
箱１はかぶせ蓋２と身３で構成されており、図面の実施の形態において、略長方形の天板部２１の四辺から嵌合部２２が垂設し、この嵌合部２２が後述の身３の立ち上がり部３３の外周に嵌合し、天板２１が身３の上面を被覆して開閉可能にするものである。
【００１７】
一方、身３は略長方形の底板部３１を有する収容部３２と、収容部３２の外周下部に底板部３２より垂下したスカート部４１を形成すると共に、前記蓋２が嵌合する立ち上がり部３３を残して嵌着固定した筒体４を備え、この筒体４の上端４２と蓋２の嵌合部２２の下端２３に隙間５が形成され、立ち上がり部３３の基部が露出した状態で蓋２が嵌合するようにしてある。
【００１８】
すなわち、蓋２の嵌合部２２と身３の立ち上がり部３３との関係は、嵌合した時に、従来の関係のように身３の立ち上がり部３３に嵌合部２２が隙間なく嵌合するものでなく、立ち上がり部３３の基部が露出した状態で蓋２が嵌合するようにしたものである。
【００１９】
したがって、筒体４の上端４２と蓋２の嵌合部２２の下端２３に隙間５が形成され、立ち上がり部３３の基部が露出した状態で蓋２が嵌合されるため、両部材の境目が明確に視認でき、当該境目が凹部となっている当該境目を利用して指を当て、蓋の取り外し作業が容易と成る作用を奏するものである。
【００２０】
また、筒体４は収容部３２の外周下部に底板３１より垂下したスカート部４１を形成したものであから、底板部３１が筒体４の下端４３より上方に位置し、箱１の身３はいわゆる上げ底となっている。
さらに、スカート部４１の高さ（深さ）は、立ち上がり部３３の高さより短く（低く）形成され、前記蓋２の嵌合部２２の高さ（深さ）と同一の長さと成っている。
【００２１】
図５は他の使用状態を示す一部を切欠いた正面図であり、同一の身３を複数個（図面では３個）用いて、積層した重箱状の箱１１を構成したものである。
積層した身３，３，３同士は、下段の身３の筒体４の上端４２と上段の身３のスカート部４１の下端４３に隙間５が形成され、下段の身３の立ち上がり部３３の基部が露出した状態で上段の身３のスカート部４１が下段の身３の立ち上がり部３３に嵌合されている。
【００２２】
下段の身３の筒体４の上端４２と上段の身３のスカート部４１の下端４３に隙間５が形成され、下段の身３の立ち上がり部３３の基部が露出した状態で上段の身３のスカート部４１が下段の身３の立ち上がり部３３に嵌合されるため、上記蓋２と身３の関係と同様に上段と下段の身３，３の分離作業を容易にできる作用を奏する。
さらに、身３と蓋２及び上下段の位置に在る身３同士の嵌合状態を強めに設定して積層の安定を図っても、蓋２や身３同士の取り外し・分離の作業が容易で支障とならない作用も有する。
【００２３】
複数の身３の立ち上がり部３３の外周面を互いに異なる着色とすることによって、身３の積層状態が容易に看取され、積層された身３の段数や関係が明瞭となり、目的の身３を容易に確認かつ蓋２や上段の身３から分離して開示することができる作用を奏し、装飾要素となって意匠的作用も奏する。
【００２４】
蓋２や身３の形状が複雑でないため製作が容易であり、材質は厚手の紙材に限らず、樹脂や木材等により身３や蓋２を成形することもできる。
また、身３の収容部３２と筒体４を分割せずに一体として成形してもよい。
さらに、上記実施形態では、蓋２が略長方形の天板部２１を、身３が略長方形の底板部３１を有する場合についてについて説明したが、これに限定されることはない。例えば、蓋が、三角形、正方形若しくは五角形等の多角形の天板、又は、円若しくは楕円等の天板を有していてもよい。当然、身も、蓋の天板の形状に対応して、三角形、正方形若しくは五角形等の多角形の底板部、又は、円若しくは楕円等の底板部を有していてもよい。
【００２５】
以上、本考案の実施態様としての一例を説明したけれど、上記の実施の形態例に限定されるものではないことは勿論、本明細書及び図面に記載した事項から明らかになる本考案が、真に意図する技術的思想の範囲全体に広く及ぶものである。
【符号の説明】
【００２６】
１，１１  箱
２        蓋
２１      天板部
２２      嵌合部
２３      下端
３        身
３１      底板
３２      収容部
３３      立ち上がり部
４        筒体
４１      スカート部
４２      上端
４３      下端
５        隙間
【図１】
0003223027.tif 000003
【図２】
0003223027.tif 000004
【図３】
0003223027.tif 000005
【図４】
0003223027.tif 000006
【図５】
0003223027.tif 000007